【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  遊技球を用いて１ゲームに対して所定単位の賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能な遊技球を用いたスロットマシンにおいて、
遊技球の取込を行う取込装置と、
前記取込装置に供給される遊技球が待機する遊技球待機部と、
前記賭数を指定する際に操作される賭数設定操作手段と、
前記賭数設定操作手段が操作されたときに、前記取込装置の取込動作により遊技球を取り込むための取込制御を行う取込制御手段と、
前記取込装置の取込動作により取り込まれた遊技球を検出する取込球検出手段と、
前記取込装置の取込動作により前記取込球検出手段にて検出された遊技球数が、１単位の賭数を設定するのに必要な単位球数に到達することにより１単位の賭数の設定を行う賭数設定手段と、
を備え、
前記取込制御手段は、
前記賭数設定操作手段が操作されることにより、前記遊技球待機部に遊技球が待機しているか否かに関わらず、前記取込動作を前記取込装置に行わせる取込動作制御手段と、
前記取込動作が終了した後に前記取込球検出手段により検出された遊技球数が前記賭数設定操作手段により指定された賭数を設定するのに必要な数を満たすか否かを判定する取込球数判定手段と、
前記取込球数判定手段により前記指定された賭数を設定するのに必要な数に満たないと判定されたときに、前記取込動作を前記取込装置に再度行わせる取込動作再制御手段と、
を含む、
ことを特徴とする遊技球を用いたスロットマシン。
【手続補正２】
【補正対象書類名】明細書
【補正対象項目名】０００８
【補正方法】変更
【補正の内容】
【０００８】
【課題を解決するための手段】
上記課題を解決するために、本発明の遊技球を用いたスロットマシンは、
遊技球（パチンコ球）を用いて１ゲームに対して所定単位の賭数を設定すること（１、２、３のいずれかが賭数として設定されること）によりゲームが開始可能となるとともに、表示状態を変化させることが可能な可変表示装置（可変表示装置５０）の表示結果が導出表示されることにより１ゲームが終了し、該可変表示装置の表示結果に応じて所定の入賞が発生可能な遊技球を用いたスロットマシン（スロットマシン１）において、
遊技球の取込を行う取込装置（取込装置７００）と、
前記取込装置に供給される遊技球が待機する遊技球待機部（上皿７）と、
前記賭数を指定する際に操作される賭数設定操作手段（ＭＡＸＢＥＴボタン３６ｂ、１ＢＥＴボタン３６ａ）と、
前記賭数設定操作手段（ＭＡＸＢＥＴボタン３６ｂ、１ＢＥＴボタン３６ａ）が操作されたときに、前記取込装置（取込装置７００）の取込動作（取込モータ７０１の駆動）により遊技球を取り込むための取込制御（取込処理）を行う取込制御手段（遊技制御部２１０）と、
前記取込装置の取込動作により取り込まれた遊技球を検出する取込球検出手段（取込球検出スイッチ７０４）と、
前記取込装置の取込動作により前記取込球検出手段にて検出された遊技球数が、１単位の賭数を設定するのに必要な単位球数（５球）に到達すること（取込済カウンタが５に到達すること）により１単位の賭数の設定を行う（賭数カウンタを１加算する）賭数設定手段と、
を備え、
前記取込制御手段は、
前記賭数設定操作手段（ＭＡＸＢＥＴボタン３６ｂ、１ＢＥＴボタン３６ａ）が操作されることにより、前記遊技球待機部（上皿７）に遊技球が待機しているか否かに関わらず、前記取込動作（取込モータ７０１の駆動）を前記取込装置（取込装置７００）に行わせる取込動作制御手段と、
前記取込動作（取込モータ７０１の駆動）が終了した後に前記取込球検出手段（取込球検出スイッチ７０４）により検出された遊技球数が前記賭数設定操作手段により指定された賭数を設定するのに必要な数を満たすか否かを判定する（取込球カウンタの値が０か否かを判定する）取込球数判定手段と、
前記取込球数判定手段により前記指定された賭数を設定するのに必要な数に満たないと判定されたとき（取込球カウンタの値が０ではないと判定されたとき）に、前記取込動作（取込モータ７０１の駆動）を前記取込装置（取込装置７００）に再度行わせる取込動作再制御手段と、
を含む、
ことを特徴としている。
この特徴によれば、賭数設定操作手段が操作された場合には、遊技球待機部に遊技球が待機しているか否かに関わらず取込装置による遊技球の取込動作が開始されるようになるため、従来の遊技球を用いたスロットマシンに比較して遊技球の取込を速やかに行うことが可能となり、遊技を円滑に進行することができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００３２
【補正方法】変更
【補正の内容】
【００３２】
１ＢＥＴボタン３６ａは、クレジット球カウンタのクレジット球数、または上皿７に載置されているパチンコ球から最小単位の賭数である１ＢＥＴ分（５球分）をゲームに賭ける際、または１ＢＥＴ分のパチンコ球を取り込んでクレジット球数に加算させる際に押圧するボタンであり、ＭＡＸＢＥＴボタン３６ｂは、１ゲームにおいて許容される賭数の最大数（本実施例では３ＢＥＴ分）をクレジット球カウンタのクレジット球数、または上皿７に載置されているパチンコ球の範囲内でゲームに賭ける際、または３ＢＥＴ分のパチンコ球を取り込んでクレジット球数に加算させる際に押圧するボタンである。１ＢＥＴボタン３６ａの内部にはＢＥＴボタンランプ１２１ａが、また、ＭＡＸＢＥＴボタン３６ｂの内部にはＢＥＴボタンランプ１２１ｂがそれぞれ内蔵されており（図６参照）、これらのＢＥＴボタンランプ１２１ａ、１２１ｂは、対応するＢＥＴボタンの操作が有効である場合に点灯し、無効である場合に消灯する。
【手続補正１５】
【補正対象書類名】明細書
【補正対象項目名】０２６１
【補正方法】削除
【補正の内容】
【手続補正１６】
【補正対象書類名】明細書
【補正対象項目名】０２６２
【補正方法】削除
【補正の内容】
【手続補正１７】
【補正対象書類名】明細書
【補正対象項目名】０２６３
【補正方法】削除
【補正の内容】
【手続補正１８】
【補正対象書類名】明細書
【補正対象項目名】０２６４
【補正方法】削除
【補正の内容】
【手続補正１９】
【補正対象書類名】明細書
【補正対象項目名】０２６５
【補正方法】削除
【補正の内容】
【手続補正２０】
【補正対象書類名】明細書
【補正対象項目名】０２６６
【補正方法】削除
【補正の内容】
【手続補正２１】
【補正対象書類名】明細書
【補正対象項目名】０２６７
【補正方法】削除
【補正の内容】
【手続補正２２】
【補正対象書類名】明細書
【補正対象項目名】０２６８
【補正方法】削除
【補正の内容】
【手続補正２３】
【補正対象書類名】明細書
【補正対象項目名】０２６９
【補正方法】削除
【補正の内容】
【手続補正２４】
【補正対象書類名】明細書
【補正対象項目名】０２７０
【補正方法】削除
【補正の内容】
【手続補正２５】
【補正対象書類名】明細書
【補正対象項目名】０２７１
【補正方法】削除
【補正の内容】
【手続補正２６】
【補正対象書類名】明細書
【補正対象項目名】０２７２
【補正方法】削除
【補正の内容】
【手続補正２７】
【補正対象書類名】明細書
【補正対象項目名】０２７３
【補正方法】削除
【補正の内容】
【手続補正２８】
【補正対象書類名】明細書
【補正対象項目名】０２８８
【補正方法】変更
【補正の内容】
【０２８８】
本発明によれば、賭数設定操作手段が操作された場合には、遊技球待機部に遊技球が待機しているか否かに関わらず取込装置による遊技球の取込動作が開始されるようになるため、従来の遊技球を用いたスロットマシンに比較して遊技球の取込を速やかに行うことが可能となり、遊技を円滑に進行することができる。
【手続補正２９】
【補正対象書類名】明細書
【補正対象項目名】０２８９
【補正方法】削除
【補正の内容】
【手続補正３０】
【補正対象書類名】明細書
【補正対象項目名】０２９０
【補正方法】削除
【補正の内容】
【手続補正３１】
【補正対象書類名】明細書
【補正対象項目名】０２９１
【補正方法】削除
【補正の内容】
【手続補正３２】
【補正対象書類名】明細書
【補正対象項目名】０２９２
【補正方法】削除
【補正の内容】
【手続補正３３】
【補正対象書類名】明細書
【補正対象項目名】０２９３
【補正方法】削除
【補正の内容】
【手続補正３４】
【補正対象書類名】明細書
【補正対象項目名】０２９４
【補正方法】削除
【補正の内容】
【手続補正３５】
【補正対象書類名】明細書
【補正対象項目名】０２９５
【補正方法】削除
【補正の内容】
【手続補正３６】
【補正対象書類名】明細書
【補正対象項目名】０２９６
【補正方法】削除
【補正の内容】
【手続補正３７】
【補正対象書類名】明細書
【補正対象項目名】０２９７
【補正方法】削除
【補正の内容】
【手続補正３８】
【補正対象書類名】明細書
【補正対象項目名】０２９８
【補正方法】削除
【補正の内容】
【手続補正３９】
【補正対象書類名】明細書
【補正対象項目名】０２９９
【補正方法】削除
【補正の内容】